(57)【特許請求の範囲】
【請求項１】
錠箱内に進退動自在に設けられたトリガーと、このトリガーを突出方向に付勢するトリガーバネと、前記トリガーに連動するように支軸を介して錠箱に軸支された鎌片と、引戸の閉戸時に慣性力によって作動するように錠箱内に設けられた鎌片用係止部材とから成る引戸錠の戸の反発防止装置に於いて、前記鎌片用係止部材は、錠箱１に設けられたレール部材２０を上る転動体３０であり、前記引戸Ｘを「パターン」と勢い良く閉鎖した戸衝突時、前記トリガーの後退動に連動する鎌片６は固定部材側Ｙの受け金具１４に完全に掛合し、一方、前記転動体３０は、慣性力によって前記レール部材２０の傾斜面を瞬時に上って鎌片６の外壁面６ｃの下方に潜り込み、引戸Ｘに反力が作用しなくなると、自重によりレール部材を転がり落ち、初期位置へと戻ることを特徴とする引戸錠の戸の反発防止装置。
【請求項２】
請求項１に於いて、初期位置に戻った転動体は、レール部材のレール側壁に設けられた駆動アームの先端部によって鎌片の外壁面の下方に押し出され、鎌片をロックする機能を発揮することを特徴とする引戸錠の戸の反発防止装置。
【請求項３】
請求項１に於いて、錠箱のフロントには、フロントの正面側から見て、ケース身の内部方向に凹所が形成されていることを特徴とする引戸錠の戸の反発防止装置。
【発明の詳細な説明】
【０００１】
【発明の属する技術分野】
本発明は、引戸錠の戸の反発防止装置に関し、特に戸の慣性力を利用した引戸錠の戸の反発防止装置に関する。
【０００２】
【従来の技術】
従来に関しては、例えば実公昭６３−２８２８６号の第１図に記載されている。この第１図に記載の従来例は、錠箱内に進退動自在に設けられたトリガー（突出杆）と、このトリガーを突出方向に付勢するトリガーバネと、前記トリガーに連動するように支軸を介して錠箱に軸支された鎌片（施錠片）と、戸の閉鎖時に慣性力によって回転するように枢軸を介して錠箱に軸支された鎌片用係止片とから成る。
【０００３】
上記構成においては、鎌片の下方に配設された鎌片用係止片が主たる部材であり、該係止片は、閉戸時、戸の慣性力によって鎌片の後端部側を係止する方向へと回転し、鎌片の戻りを一時的に阻止する。これにより、引戸を勢い良く閉鎖した時に生じる反動力（「戸の跳ね返り現象」と称する。）を解消することができる。
【０００４】
確かにこの構成はシンプルであり、耐久性にも優れているという利点がある。しかしながら、従来例は、鎌片用係止片が枢軸を支点に回転するので、閉戸時、受け金具に掛合した鎌片の後端部の係合切欠部に係止片の係合部が「ガッチリ」と係合した場合には、係止片の自重により係合状態が解消するとは言うものの、実際には戸の反動力が終わった直後に係合状態が解消しない場合がしばしばある。特に、戸の跳ね返り現象の影響で鎌片が微妙に錠箱側に後退した時、鎌片の係合切欠部の係合面が係止片の先端の係合面に押し当たるので、戸の反動力が終わった後であっても、係止片は容易に戻らないという問題点があった。したがって、引戸の解錠時に於いて、引戸を一旦閉戸方向に閉め直さなければ、引戸を開くことが困難であるという欠点があった。
【０００５】
【発明が解決しようとする課題】
本発明は従来の欠点に鑑み、第１の目的は、従来の実施例と同様に戸の慣性力を利用することにより、戸の跳ね返り現象を確実に防止することができる反面、戸の衝突時の直後（引戸Ｘに反力が作用しなくなること、或いは戸の跳ね返り現象を防止した後の意味合い）に、鎌片用係止部材の障害子の機能を果している転動体が、自重により、すぐに初期位置（扉の開く方向）に戻ることができ、これにより、引戸の解錠時に於いて、引戸を一旦閉戸方向に閉め直さなくても、そのまま引戸を開くことができることである。第２の目的は、初期位置に戻った転動体を、今度は、受け金具に掛合している鎌片をロックするロック部材に活用することができることである。
【０００６】
【課題を解決するための手段】
引戸錠の戸の反発防止装置は、錠箱内に進退動自在に設けられたトリガーと、このトリガーを突出方向に付勢するトリガーバネと、前記トリガーに連動するように支軸を介して錠箱に軸支された鎌片と、引戸の閉戸時に慣性力によって作動するように錠箱内に設けられた鎌片用係止部材とから成る引戸錠の戸の反発防止装置に於いて、前記鎌片用係止部材は、錠箱１に設けられたレール部材２０を上る転動体３０であり、前記引戸Ｘを「パターン」と勢い良く閉鎖した戸衝突時、前記トリガーの後退動に連動する鎌片６は固定部材側Ｙの受け金具１４に完全に掛合し、一方、前記転動体３０は、慣性力によって前記レール部材２０の傾斜面を瞬時に上って鎌片６の外壁面６ｃの下方に潜り込み、引戸Ｘに反力が作用しなくなると、自重によりレール部材を転がり落ち、初期位置へと戻ることを特徴とする。
【０００７】
上記構成に於いて、初期位置に戻った転動体は、レール部材のレール側壁に設けられた駆動アームの先端部によって鎌片の外壁面の下方に押し出され、鎌片をロックする機能を発揮することを特徴とする。
【０００８】
【発明の実施の形態】
図１乃至６図は、本発明の第１実施例を示す各説明図である。以下、引戸錠の戸の反発防止装置について説明する。１は錠箱である。錠箱１は、少なくともケース身２と、ケース蓋３とから成る。ケース身２は一体のフロント４及び後述のレール部材２０を有する。
【０００９】
錠箱１はフロント４、固着具９を介して引戸Ｘに固定されている。ケース身２には、図示しない軸孔、トリガー５用案内部などが適宜に形成されている。またケース身２の上部側には鎌片６の幅広後端部に設けられた係合ピン７と係合する弧状案内部（案内長孔、案内溝など）８が形成されている。ケース身２の上部側に下向きに形成された弧状案内長孔８は仮想線で示してある。
【００１０】
ケース身２と、フロント４と、後述のレール部材２０は合成樹脂材で一体又は別体に成形される。本実施例では、ケース身２と、フロント４と、レール部材２０は可能な限り一体に形成されている。
【００１１】
ここで図１乃至図３を参照にして錠箱１を構成する部材について説明する。本実施例の錠箱１は、ケース身２と、ケース蓋３と、フロント４と、レール部材２０とから成り、ケース蓋３を除いてケース身２と、フロント４と、レール部材２０は合成樹脂材で一体にできている。
【００１２】
したがって、例えばレール部材２０と称しても、各部の境界部分では「ケース身２の一部分」或いは「フロントの一部分」を成している。そこで、各部分を容易に理解するために、本実施例では、説明の便宜上、ケース身２、フロント４、レール部材２０の各用語を用いている。
【００１３】
まず錠箱１のフロント４を説明する。錠箱１をフロント４の正面側から見た図２を参照にすると、フロント４はケース身２よりも幅が広く、また上下に食み出している。
【００１４】
すなわち、１０はフロント４或いはレール部材２０の上部側で、かつ、ケース身２の内部方向に形成された凹所である。この凹所１０は上下に対称的な傾斜面１０ａ，１０ｂを有すると共に、凹所１０内の上部にトリガー５用の角型嵌合孔１１が形成されている。
【００１５】
またフロント４或いはレール部材２０の中央部には、鎌片６用の縦長窓１２が形成されている。本実施例では、フロント４とレール部材２０とが可能な限り一体に成形されているので、トリガー５用の角型嵌合孔１１や鎌片６用の縦長窓１２が何れの開口なのか区別し難いが、敢えて区別すれば、角型嵌合孔１１及び縦長窓１２は、図３で示すように転動体用レール部材２０の一部分である。もちろん、図２を基準にすると、角型嵌合孔１１及び縦長窓１２は、フロント４にそれぞれ形成された開口部に見える。
【００１６】
このようにフロント４或いはレール部材２０に凹所１０を形成した理由は、後述する戸枠側の受け金具１４がシンプルな形態（例えばアングル形状）である場合に於いて、閉戸時、受け金具１４の掛合部１４ａが凹所１０内まで入り込み、結果としてトリガー５を十分に押し付けることができるからである。
【００１７】
前記トリガー５は、フロント４或いはレール部材２０の凹所１０の角型嵌合孔１１に貫通状態に嵌め込まれている。１３はトリガー５の後端部と錠箱１（ケース身２）の後壁１ａとの間に設けられたトリガーバネである。トリガー５は、図１で示すように引戸Ｘを開いた時（ここでは「開戸時」という。）、このトリガーバネ１３のバネ力によりフロント４から水平方向に突出し、一方、引戸Ｘを閉じた時（ここでは「閉戸時」という。）、戸枠Ｙ側の受け金具１４に当たりながら、かつ、トリガーバネ１３のバネ力に抗して錠箱１内へと後退する（図４参照）。
【００１８】
１５はトリガー５の後端部の下辺に突出形成された下向き凹所状の嵌合部である。この嵌合部１５の対向側壁には半円状の切欠部１６が形成されている。この嵌合部１５内には、鎌片６の後端部６ａが遊嵌合する。一方、前記切欠部１６には、弧状案内部８に係合した係合ピン７が入り込んでいる。
【００１９】
トリガー５は、開戸時、嵌合部１５の一端面がフロント４或いはレール部材２０の凹所１０の内壁面１０ｃに面接触することにより所定位置で停止する。したがって、前記凹所１０の内壁面１０ｃは、トリガー５に対するストッパー機能を発揮する。
【００２０】
鎌片６は支軸１７を介して錠箱１に回転自在に設けられている。支軸１７は、トリガー５の嵌合部１５付近に位置するように図示しない金属製の軸孔を有する一対の支板を介して錠箱１に横設されている。
【００２１】
また鎌片６は、幅広の後端部６ａが支軸１７に軸支されているので、開戸時、垂れ下がり状となり、その先端部６ｂはフロント４の縦長窓１２乃至レール部材２０の上部空間２３内に位置している。すなわち、先端部６ｂは、本実施例では、図１又は図３を基準にした場合には、手前側（ケース蓋側）と向こう側のレール側壁２１，２２の上部空間２３内に余裕を持って入り込んでいる。
【００２２】
また鎌片６は、支軸１７を中心に弧を描く係合ピン７がトリガー５の切欠部１６内に入り込んでいるので、該係合ピン７を介してトリガー５に連動する。
【００２３】
前述したように、２０はフロント４やケース身２の幅広側壁に一体成形されたレール部材２０である。換言すれば、ケース身２のレール部分２０、或いはフロント４のレール部分２０である。
【００２４】
図３は錠箱１内に形成されたレール部材２０或いはレール部分２０（以下、「レール部材２０」という。）の斜視図である。この図３を参照にしてレール部材２０を説明する。
【００２５】
前述したように、２１は手前側（ケース蓋３側）のレール側壁、２２は手前側のレール側壁２１に空間２３を介して対向する向こう側のレール側壁２２である。対向するレール側壁２１，２２の傾斜面２１ａ，２２ａには、転動体が載置されている。また両レール側壁２１，２２の上部寄りの中央部には、図３で示すように、角軸孔２５を有する伝動軸部材２４用の円形嵌合孔（大軸孔）２６が形成されている。
【００２６】
しかして、伝動軸部材２４は二個の物品を適宜に組み合わせて構成されており、その中央部には、図示しない操作部材の駆動軸（角軸）２７によって回転する駆動アーム２８が回転自在に嵌着している。そして、駆動アーム２８の先端部２８ａは、レール側壁２１，２２の傾斜面２１ａ，２２ａから突出し、該突出部分２８ａには転動体３０を受止める横棒状のトスッパー２９が固定的に設けられている。
【００２７】
前記傾斜面２１ａ，２２ａには錠箱１の後壁１ａ側からフロント４側（或いはレール部材の前方）に向かって所要の（例えばゆるやかな）勾配が付されている。転動体３０は、レール部材２０の傾斜面２１ａ，２２ａを転動する。この転動体３０は、本実施例ではパチンコ玉形状の球体を用いている。また転動体３０は、引戸Ｘの閉戸時、その慣性力によってレール部材２０の傾斜面２１ａ，２２ａを瞬時に転がりながら上り（登り）、引戸Ｘに反力が無くなった直後に自重によりレール部材２０を下り、初期位置へと戻る。
【００２８】
初期位置に戻った転動体３０は、本実施例ではレール部材２０に伝動軸部材２４を介して設けられ、かつ、駆動軸２７の回転により回動する駆動アーム２８のストッパー２９によって鎌片６の外壁面６ｃの下方に押し出され、鎌片６をロックする機能を発揮する（図６参照）。
【００２９】
最後に３５は鎌片６を掛合方向に付勢する付勢バネで、本実施例ではメガネバネが用いられている。この付勢バネ３５は開く方向にバネ力が作用している。付勢バネ３５の一端部は、鎌片６の後端部６ａの突起ピン３６に、一方、他端部はケース身２の後壁１ａ付近の突起ピン３７にそれぞれ支持されている。
【００３０】
上記構成に於いて、図１は引戸Ｘの開戸時を示す。前述したように、トリガー５は、トリガーバネ１３のバネ力によりフロント４から水平方向に突出している。この時トリガーバネ１３の嵌合部１５はフロント４の凹所１０の内壁面１０ｃに面接触することにより所定位置で停止している。また鎌片６の係合ピン７はトリガーバネ１３の切欠部１６内の左側に位置し、鎌片６の先端部６ｂはフロント４或いはレール部材２０の縦長窓１２乃至上部空間２３内に位置している。また転動体３０は、初期位置にバックして駆動アーム２８のストッパー２９に当っている。なお、この時、引戸錠は解錠状態である。
【００３１】
図４は引戸Ｘの閉戸時に於ける鎌片の中途状態を示している。引戸Ｘを閉めようとする時にトリガー５の先端部５ａが受け金具１４の掛合部１４ａに当ると、トリガー５はトリガーバネ１３のバネ力に抗して錠箱１内へと後退する。この時鎌片６は、トリガー５の切欠部１６及び鎌片６の係合ピン７を介してトリガー５の動きに連動する。つまり、鎌片６はトリガー５が錠箱内に後退する掛合方向に回転する。
【００３２】
図５は引戸Ｘを勢い良く閉めた時の状態を示している。引戸Ｘを「パターン」と勢い良く閉めた時、戸先は戸枠、柱等の不動産を構成する固定部材の当接部に衝突する。この衝突時、トリガー５はトリガーバネ１３のバネ力に抗して錠箱１内へと完全に後退する。一方、鎌片６は受け金具１４に完全に掛合する。
【００３３】
衝突時、引戸Ｘに反力が作用し始める（戸の跳ね返り現象）が、それと同時に転動体３０は慣性力によってレール部材２０の傾斜面を瞬時に上り（登り）、鎌片６の外壁面６ｃの下方に潜り込む。この時、付勢バネ３５のバネ力３５が鎌片の掛合方向に作用している。
【００３４】
したがって、転動体３０が仮施錠状態の鎌片の下方に位置した瞬間、引戸Ｘに反力が作用しても（戸の跳ね返り現象が生じても）、引戸Ｘは反力により開かない。換言すれば、戸衝突時、当然に鎌片６は受け金具１４を介して反時計方向へ戻ろうとするが、転動体３０が鎌片６の外壁面６ｃの下方に転がり込んでいるので、転動体３０が鎌片６に対する直接的な係止機能を発揮する。そして、閉戸時、引戸Ｘに反力が作用しなくなると（戸の跳ね返りを防止した直後）、転動体３０は、自重によりレール部材２０を転がり落ち、初期位置へと戻る。
【００３５】
その後、図示しない操作部材を回転すると、操作部材側の駆動軸２７が回転するので、駆動アーム２８は伝動軸部材２４を介して回転する。図６で示すように、駆動アーム２８が仮想線で示す位置から実践で示す位置へと回転すると、初期位置に戻った転動体３０は、ストッパー２９により鎌片６の外壁面６ｃの下方に押し出され、鎌片６をロックする機能を発揮する。
【００３６】
【実施例】
本発明の一実施例に於いて、転動体３０はパチンコ玉形状の球体を用いているが、中央部が膨らんだ棒状体、ソロバン玉形状、パチンコ玉形状、滑車などレール部材２０を転がるものであれば、特に形状を限定するものではない。また、錠箱１を構成するケース身２、フロント４、レール部材２０は合成樹脂材で可能な限り一体に形成されているが、各部材を一体成形することは本発明の特定（必須）要件ではなく、レール部材２０は、フロント４やケース身２と別体であっても良い。
【００３７】
【発明の効果】
以上の説明から明らかなように、本発明にあっては、次に列挙するような作用・効果がある。
（１）従来の実施例と同様に戸の慣性力を利用することにより、戸の跳ね返り現象を確実に防止することができる反面、戸の反動力が終わった直後に、鎌片用係止部材の障害子の機能を果している転動体が、自重により、すぐに初期位置（扉の開く方向）に戻ることができ、これにより、引戸の解錠時に於いて、引戸を一旦閉戸方向に閉め直さなくても、そのまま引戸を開くことができる。
（２）、初期位置に戻った転動体を、今度は、受け金具に掛合している鎌片をロックするロック部材に使用することができる。
【図面の簡単な説明】
図１乃至図６は本発明の一実施例を示す各概略説明図。
【図１】概略縦断面説明図。
【図２】フロントの正面から見た説明図。
【図３】主要部の分解説明図。
【図４】引戸の閉戸時に於ける鎌片の中途状態を示す作動状態の説明図。
【図５】引戸を勢い良く閉めた時の状態を示す説明図。
【図６】転動体がロック機能を果す状態の説明図。
【符号の説明】
Ｘ…引戸、Ｙ…戸枠、１…錠箱、２…ケース身、３…ケース蓋、４…フロント、５…トリガー、６…鎌片、７…係合ピン７、８…弧状案内部、１０…凹所、１１…角型嵌合孔、１２…縦長窓、１３…トリガーバネ、１４…受け金具、１５…嵌合部、１６…切欠部、１７…鎌片用支軸、２０…レール部材、２１…手前側のレール側壁、２２…向こう側のレール側壁、２３…空間、２４…伝動軸部材、２５…角軸孔、２６…嵌合孔、２７…駆動軸、２８…駆動アーム、２９…ストッパー、３０…転動体、３５…付勢バネ。
【図１】
0003927852.tif 000002
【図２】
0003927852.tif 000003
【図３】
0003927852.tif 000004
【図４】
0003927852.tif 000005
【図５】
0003927852.tif 000006
【図６】
0003927852.tif 000007